(57)【要約】  本発明は、サンプルを分配するシステムと、サンプルを分配する方法と、サンプルを分配する工程を備える、事業を行う方法とを備える。これらは、サンプル・カード配布装置(4)と、サンプル・カード(2)に組み入れられるマシン判読可能ラベル(3)と、商品(5)に関連したデータをマシン判読可能ラベル(3)上に書き込むマシン判読可能ラベル書き込み装置(6)と、マシン判読可能ラベル(3)を読み取るマシン判読可能ラベル読み取り装置(9)、サンプル情報を備えるデータベース(12)、サンプルをパッケージングし、配布する手段(14)、及び、データをマシン判読可能ラベル読み取り装置(9)から受信し、サンプル情報をデータベース(12)から取得し、少なくとも１つのサンプルのパッケージング及び配布を、サンプルをパッケージングし、配布する手段(14)に指示するプロセッサ(11)とを備える、サンプルを配布する装置(7)とを備える。
2007513400.tif 000002
【特許請求の範囲】
【請求項１】
サンプルを分配するシステムであって、
サンプル・カード配布装置と、
マシン判読可能ラベルと、
該マシン判読可能ラベル上に商品に関連したデータを書き込むマシン判読可能ラベル書き込み装置と、
前記マシン判読可能ラベルを読み取るマシン判読可能ラベル読み取り装置と、サンプル情報を備えるデータベースと、サンプルをパッケージングし、配布する手段と、データを前記マシン判読可能ラベル読み取り装置から受信し、サンプル情報を前記データベースから取得し、少なくとも１つのサンプルをパッケージングし、配布するよう前記サンプルをパッケージングし、配布する手段に指示するプロセッサとを備える、前記サンプルを配布する装置とを備えることを特徴とするシステム。
【請求項２】
請求項1記載のシステムであって、前記マシン判読可能ラベルは、無線中継器又は無線送信器を備えることを特徴とするシステム。
【請求項３】
請求項1記載のシステムであって、前記サンプルを配布する装置は自動販売機を更に備えることを特徴とするシステム。
【請求項４】
請求項1記載のシステムであって、前記サンプルをパッケージングし、配布する手段は更に、
サンプルのソート及び/又は格納を行う少なくとも1つの格納区画と、
前記サンプルをパッケージにパッケージングする機構と、
前記サンプルを前記格納区画から取り出し、該取り出したサンプルを前記パッケージング機構まで運ぶ手段と、
パッケージングされたサンプルを分配する分配装置とを備えることを特徴とするシステム。
【請求項５】
請求項1記載のシステムであって、前記プロセッサは、データを前記マシン判読可能ラベル読み取り装置から受信し、サンプル情報を前記データベースから取得し、少なくとも１つのサンプルをパッケージングし、配布する旨を、前記サンプルをパッケージングし、配布する手段に指示するようプログラムされることを特徴とするシステム。
【請求項６】
請求項1記載のシステムであって、前記プロセッサは、前記マシン判読可能ラベル読み取り装置がマシン判読可能ラベル上に書き込まれたデータを読み取ると、前記サンプルを配布する装置を起動させることを特徴とするシステム。
【請求項７】
サンプルを配布する方法であって、
マシン判読可能ラベルを配布する工程と、
前記マシン判読可能ラベルを環境にわたって運ぶ工程と、
前記マシン判読可能ラベル上に商品に関連したデータを書き込む工程と、
前記マシン判読可能ラベル上に書き込まれたデータを読み取る工程と、
前記マシン判読可能ラベル上に書き込まれたデータをデータベースと比較する工程と、
少なくとも１つのサンプルを前記比較する工程に基づいて選択する工程と、
前記少なくとも１つのサンプルをパッケージングする工程と、
前記少なくとも１つのサンプルを配布する工程とを備えることを特徴とする方法。
【請求項８】
請求項7記載の方法であって、少なくとも１つのマシン判読可能ラベルが検出される場合に前記読み取る工程を起動させるようプロセッサをプログラムする工程を更に備えることを特徴とする方法。
【請求項９】
請求項7記載の方法であって、前記書き込む工程は、手作業による要求によって前記マシン判読可能ラベル上に情報を書き込む工程を更に備えることを特徴とする方法。
【請求項１０】
請求項7記載の方法であって、前記書き込む工程は、前記マシン判読可能ラベル上に情報を自動的に書き込む工程を更に備えることを特徴とする方法。
【請求項１１】
請求項7記載の方法であって、前記選択する工程は、前記比較する工程に基づいて選択する工程と、選択するようプログラムされたコマンドによって、前記少なくとも１つのサンプルのパッケージング及び配布を行う工程とを備えることを特徴とする方法。
【請求項１２】
請求項7記載の方法であって、前記パッケージングする工程が、前記少なくとも１つのサンプルを更なるマテリアルによってパッケージングする工程を更に備えることを特徴とする方法。
【請求項１３】
請求項12記載の方法であって、前記更なるマテリアルは更に、広告マテリアル、クーポン、販促マテリアル、グラフィックス、メッセージ、使用方法、及び/又は更なるサンプル・カードを備えることを特徴とする方法。
【請求項１４】
事業を行う方法であって、
マシン判読可能ラベルをサンプル・カードに組み入れる工程と、
商品に関連したデータを前記マシン判読可能ラベル上に書き込む工程と、
前記データを前記マシン判読可能ラベルから読み取る工程と、
前記マシン判読可能ラベル上に書き込まれた前記データをデータベースと比較する工程と、
少なくとも１つのサンプルを、前記比較する工程に基づいて選択する工程と、
前記少なくとも１つのサンプルをパッケージングする工程と、
前記少なくとも１つのサンプルを配布する工程と、
配布されるサンプルと、前記マシン判読可能ラベル上に書き込まれた前記データとに基づいて商品又はサービスの販売に影響を及ぼす工程とを備えることを特徴とする方法。
【発明の詳細な説明】
【技術分野】
【０００１】
本発明は、サンプルが配布される、販売環境などの環境に関する。本発明は、マシン判読可能ラベルを用いて、データを格納し、かつ、走査されるとこれを読み取り装置に供給するシステムにも関する。
【背景技術】
【０００２】
通常の販売環境は、一定の、顧客の流れを有する。新商品を特定の市場に導入するうえでの１つの効果的なシステムは、顧客にサンプルを提供するというものである。商品サンプルは顧客に対して、人手によって配布する専門の販売アシスタントによって提供されるか、顧客が好きなだけ取れるよう、販売環境のあちこちで配布される。サンプルは、広告情報も有し得る。サンプルのパッケージング演出及び一般的な演出は、新商品又は新施設に顧客を引きつけるうえで重要な役割を演ずる。
【発明の開示】
【発明が解決しようとする課題】
【０００３】
現在、顧客は、販売環境内を移動している間にサンプルを集め、保持し、覚えておき、持ち運ぶうえで、ある程度の問題を有する。このことは、サンプルが手に負えない数にのぼることによることがあり得るものであり、顧客が動き回るにつれ、多くが廃棄されるか紛失することによることもあり得る。多くの場合、多くのサンプルは、サンプルが表す商品を欲しくないことがあり得る顧客によって持っていかれるか、そうした顧客に押しつけられる。多額のお金が、新商品又は新施設の潜在顧客をターゲットとして、費やされている。サンプルを更に効率的でかつ効果的に配布する方法及びシステムに対する必要性が当該技術分野において存在する。
【０００４】
データをコード化する種々の装置が現在、存在しており、開発中である。こうした装置によって一般的に、物体をタギング又はラベリングして、物体に関連したデータの読み書きをマシンができることが可能になる。無線周波数識別子（RFID）タグは、情報を無線信号によって、中継器が行うのと同様に読み取り装置に供給する。同様に、書き込み装置は、1つ又は複数のRFIDタグ上に格納されているデータを無線で無線信号を介して送信することができる。RFID装置の魅力の１つとして、大量の情報を収容するうえでの潜在性がある。情報を格納する他の装置は、印刷及び非印刷の（例えば、エッチングされた、）マシンによって（、例えば、パターン認識処理を用いて）判読することが可能なシンボルと、ディジタル透かしとを有する。
【０００５】
RFIDタグはプログラム可能であり得るものであり、種々の環境要因をタグ内に記録することができるセンサも備え得る。
【０００６】
カード上に印刷することができるのに十分な情報（すなわち、非常に少量の情報）しか備えていない、新商品を売りに出すうえで現在用いられている印刷サンプルと違って、一部のマシン判読可能ラベル（MRL）装置は、特定の非常に興味深いことを達成するうえで十分な情報を格納することができる。例えば、商品に付属している場合、それはその特定の商品を一意に識別することができ、それは、中央データベースにおいて、その製造日付、それが輸送された輸送船舶、その種々の構成部分、それが配送された先の販売人、それが販売された先、その製造方法、時点等と結びつけることができる。別の利点は、一部のものが、ある程度の距離、離れている場所に読み取り装置を保持することによって、かつ、MRL装置に対して読み取り装置を正確に向けることなく、走査することができるという点である。一部の読み取り装置、例えばRFID読み取り装置は、多くのMRL装置を一度に読み取ることができる。
【課題を解決するための手段】
【０００７】
本発明によれば、一局面では、サンプルを分配するシステムは、サンプル・カード配布器を備える。システムは更に、サンプル・カードに組み入れられるマシン判読可能ラベルと、商品に関連したデータをマシン判読可能ラベル上に書き込むマシン判読可能ラベル書き込み装置と、マシン判読可能ラベルを読み取るマシン判読可能ラベル読み取り装置、サンプル情報を備えるデータベース、サンプルをパッケージングし、配布する手段、及び、データをマシン判読可能ラベル読み取り装置から受信し、サンプル情報をデータベースから取得し、少なくとも１つのサンプルのパッケージング及び配布を、サンプルをパッケージングし、配布する手段に指示するプロセッサとを備える、サンプルを配布する装置とを備える。
【０００８】
一実施例では、マシン判読可能ラベルは、無線中継器又は無線送信器を備える。
【０００９】
別の実施例では、サンプルを配布する装置は更に、自動販売機である。
【００１０】
別の実施例では、サンプルをパッケージングし、配布する手段は更に、サンプルのソート及び/又は格納を行う少なくとも１つの格納区画と、サンプルをパッケージにパッケージングする機構と、サンプルを格納区画から取り出し、それをパッケージング機構まで運ぶ手段と、パッケージングされたサンプルを分配する分配装置とを備える。
【００１１】
別の実施例では、プロセッサは、データをマシン判読可能ラベル読み取り装置から受信し、サンプル情報をデータベースから取得し、少なくとも１つのサンプルをパッケージングし、配布する旨を、サンプルをパッケージングし、配布する手段に指示するようプログラム可能である。別の実施例では、プロセッサは、サンプル・カード内に組み入れられたマシン判読可能ラベル上に書き込まれたデータをマシン判読可能ラベル読み取り装置が読み取るとサンプルを配布する装置を起動させる。
【００１２】
本発明の別の局面は、いくつかの工程を備えるサンプルを配布する方法である。１つの工程は、マシン判読可能ラベルを配布する工程である。別の工程は、マシン判読可能ラベルを環境にわたって運ぶ工程である。他の工程は、商品に関連したデータをマシン判読可能ラベル上に書き込む工程と、マシン判読可能ラベル上に書き込まれたデータを読み取る工程と、マシン判読可能ラベル上に書き込まれたデータをデータベースと比較する工程と、少なくとも１つのサンプルを、比較する工程に基づいて選択する工程と、少なくとも１つのサンプルをパッケージングする工程と、少なくとも１つのサンプルを配布する工程とである。
【００１３】
一実施例では、方法は、少なくとも１つのサンプル・カードが検出されると読み取る工程を起動させるようプロセッサをプログラムする工程を備える。
【００１４】
別の実施例では、書き込み工程は、情報をマシン判読可能ラベル上に手作業の要求によって書き込む工程を備える。別の実施例では、書き込み工程は、情報をマシン判読可能ラベル上に自動的に書き込む工程を備える。
【００１５】
別の実施例では、選択する工程は、比較する工程に基づいて選択する工程と、選択するようプログラムされたコマンドによって、少なくとも１つのサンプルのパッケージング及び配布を行う工程とを備える。
【００１６】
別の実施例では、パッケージングする工程は、少なくとも１つのサンプルを更なるマテリアルによってパッケージングする工程を備える。別の実施例では、更なるマテリアルは、広告マテリアル、クーポン、販促マテリアル、グラフィックス、メッセージ、使用方法、及び/又は更なるサンプル・カードを備え得る。
【００１７】
本発明の別の局面は、マシン判読可能ラベルをサンプル・カードに組み入れる工程と、商品に関連したデータをマシン判読可能ラベル上に書き込む工程と、データをマシン判読可能ラベルから読み取る工程と、マシン判読可能ラベル上に書き込まれたデータをデータベースと比較する工程と、少なくとも１つのサンプルを、比較する工程に基づいて選択する工程と、少なくとも１つのサンプルをパッケージングする工程と、少なくとも１つのサンプルを配布する工程と、配布されるサンプルと、マシン判読可能ラベル上に書き込まれたデータとに基づいて商品又はサービスの販売に影響を及ぼす工程とを備える、事業を行う方法である。
【発明を実施するための最良の形態】
【００１８】
本発明は、多くの効果を備え、その一部は、以下の実施例を参照しながら明らかにする。
【００１９】
提案されているシステム及び方法は、百貨店などの販売環境によって商品サンプルを分配するようにしている。
【実施例】
【００２０】
図1Aは、サンプルを分配する提案システムの好ましい実施例である。この実施例では、顧客1が、サンプル・カード2をサンプル・カード配布装置4（すなわち、カード分配装置）から選択する。サンプル・カード2は、貼られるか、挿入されるか、別の方法で組み入れられるマシン判読可能ラベル3を備える。
【００２１】
図1Bでは、顧客1は、サンプル・カード2及びマシン判読可能ラベル3を販売環境（図示せず）にわたって持ち運ぶ。顧客1は、自らが関心を有する商品5をみる。顧客1は、例えば、商品5について実在の販売員に尋ねるか、商品5上又は商品5の近くにある情報に目を通し得る。例として、商品5は、新たな種類の香水であり得る。顧客1は、この新たな香水を試したいことがあり得る。香水を試すうえで、顧客1は、更なる情報又は、商品5のサンプルが欲しく、更に、商品5に関連したデータをマシン判読可能ラベル3上に書き込むよう、マシン判読可能ラベル3を組み入れたサンプル・カード2を、マシン判読可能ラベル書き込み装置6の範囲内に持ち込み得る。マシン判読可能ラベル3上に書き込まれたデータは、商品5についての情報、商品5の供給元又は製造業者に関する販促情報、又は商品5のサンプルを得るうえでのサンプル情報であり得る。販売環境の所有者は、関連する商品についての情報や、販売環境の広告マテリアルなどの望まれる商品情報を何でも書き込むよう、マシン判読可能ラベル書き込み装置6をプログラムすることができる。
【００２２】
顧客1は、種々の商品5のある場所で立ち止まって、販売環境内を動き回り続け得る。マシン判読可能ラベル3は、２つ以上の商品５のデータを読み取り、格納することができる、更に、マシン判読可能ラベル書き込み装置6は、プログラムされる方法に応じて、顧客1によって特に要求されないことがあり得る情報を受動的に送信し得る。マシン判読可能ラベル3は、販売環境の所有者によってプログラムされる、種々の商品に関する情報を受動的に受信することになる。
【００２３】
更に、マシン判読可能ラベル書き込み装置6は携帯可能であり得る。これによって、販売員が携帯型マシン判読可能ラベル書き込み装置6を販売環境にわたって持ち運ぶことが可能になる、例えば、販売員が、販売環境の遠隔場所で商品5を試すよう顧客1に求める場合、データをマシン判読可能ラベル3上に書き込むことができる。
【００２４】
図1Cは、サンプル・カード2と、組み入れられたマシン判読可能ラベル3とを備える販売環境を顧客が出ていくことを表す。顧客1は更に、マシン判読可能ラベル3を、サンプル7を配布する装置、例えば、自動販売機の範囲内に持ち込む。サンプル7を配布する装置は、マシン判読可能ラベル3を読み取るマシン判読可能ラベル読み取り装置9を備える。顧客1は、サンプル7を配布する装置における開口部にサンプル・カード2を挿入するか、当該技術分野において公知の何れかの他の手段によってマシン判読可能ラベル読み取り装置9の範囲内にマシン判読可能ラベル3を呈示し得る。サンプル7を配布する装置は、マシン判読可能ラベル読み取り装置3からのデータを読み取り、サンプル情報を備えるデータベースと、データとを比較し、顧客1によって要求されるか、マシン判読可能ラベル3に受動的に書き込まれるサンプルをパッケージングし、配布する。このことは、図1Dに示し、図1Dでは、顧客1は、販売環境を出ると、パッケージングされたサンプル10を受け取る。本発明の従来技術に対する利点は、顧客1が、販売環境にわたって配布サンプルを持ち運ばなければならないのではなく、マシン判読可能ラベル3上に書き込まれたサンプルを取り出すだけでよく、販売環境にわたってサンプル・カード2のみを持ち運べばよいという点である。更に、サンプル7を配布する装置は、販売環境のロゴ、グラフィックス及び/又はメッセージが付いていることがあり得る魅力的なパッケージ10においてサンプルを自動的にパッキングする。
【００２５】
図2は、サンプル7を配布する装置を更に詳細に表す。サンプル7を配布する装置は、サンプル・カード2に組み入れられたマシン判読可能ラベル3上に格納されているデータを読み取るマシン判読可能ラベル読み取り装置9を備える。このデータはプロセッサ11に転送され、プロセッサ11はデータを解析して、配布すべきサンプルを判定する。プロセッサ11は、データベース12にアクセスして、マシン判読可能ラベル読み取り装置9によって読み取られるデータに相当するサンプルを判定する。プロセッサ11は更に、適切なサンプルをサンプル格納区画13から選択するようサンプル選択/パッケージング機構14に指示する。
【００２６】
格納区画13は、例えば、各種サンプルを格納するサブ区画を備え得る。選択/パッケージング機構14は、特定のサンプルを格納区画13から、例えば、ロボット・アームを用いてか、格納区画13の特定のサブ区画を選択的に開け、それによって所望のサンプルがその中に落下することを可能にすることによって選択できることがあり得る。
【００２７】
サンプルは、選択/パッケージング機構14によって選択され、パッケージングされると、分配装置15を通って、顧客1が、パッケージングされたサンプル10を取り出すことができる受け口8に落下する。
【００２８】
プロセッサ11は、パッケージングされたサンプル10におけるサンプルとともにパッケージングされるべき更なるマテリアルについての非常に特定された情報によってプログラムし得る。更なるマテリアルは、格納区画13に格納し、選択パッケージング機構14によって選択し、パッケージングし、分配器15によって分配し得る。プロセッサ11はデータベース12をアクセスして、マシン判読可能ラベル読み取り装置9によって読み取られるデータに相当する更なるマテリアルを判定する。プロセッサ11は更に、適切な更なるマテリアル及びサンプルをサンプル格納区画13から選択するようサンプル選択/パッケージング機構14に指示する。
【００２９】
図3は、少なくとも１つのサンプルを分配する方法の流れ図を表す。工程30では、顧客1は、サンプル・カード分配装置4に近寄り、マシン判読可能ラベル3を組み入れたサンプル・カード2を取る。工程31では、顧客1は、商品5に近寄る。工程32では、顧客1は、商品5のサンプルが欲しいか否かを決定する。否定の場合、顧客1は工程31に戻り、別の商品5に近寄る。しかし、顧客1は商品5のサンプルが欲しい場合、サンプル・カード2におけるマシン判読可能ラベル3は、マシン判読可能ラベル書き込み装置6から信号を受信しているかを確かめる。信号を何ら受信していない場合、工程32を繰り返し得るものであり、さもなければ、顧客1は工程31で別の商品5に進み得る。
【００３０】
信号が工程33で検出される場合、マシン判読可能ラベル書き込み装置6は、工程34で、サンプル・データをマシン判読可能ラベル3に送信する。工程35では、顧客1は、更なる商品サンプルが欲しいかを判定する。肯定の場合、工程31に戻り、否定の場合、顧客1は、工程36で、販売環境を出口の場所を介して出る。工程37では、顧客１は、サンプル配布装置7がその出口の場所にあるかを確かめる。否定の場合、顧客1は、別の出口場所に戻って工程36及び37を繰り返すようプロンプトされる。サンプル配布装置7が顧客の1の出口場所にある場合、工程38は、マシン判読可能ラベル読み取り装置9の前にサンプル・カード2を走査するよう顧客1にプロンプトする。この工程は、当該技術分野において公知の何れかの方法によって実施することができる。例えば、顧客1は、サンプル・カード2をスロットに挿入してマシン判読可能ラベル読み取り装置9を起動させることができる。更に、マシン判読可能ラベル読み取り装置9は、マシン判読可能ラベルからの信号伝送を周期的にサーチし、データの受信によってプロセッサ11を起動させ得る。
【００３１】
工程49は、マシン判読可能ラベル読み取り装置9がマシン判読可能ラベル3を読み取るか否かを判定する。否定の場合、工程38を繰り返す。マシン判読可能ラベル読み取り装置9がマシン判読可能ラベル3を読み取る場合、送信されるサンプル・データは、工程39で、プロセッサ11によって記録及び/又は格納が行われる。プロセッサ11は更に、工程40で、データベース12に格納されているデータとサンプル・データを比較する。工程41では、サンプル・データがデータベース１２に見出されない場合、そのデータが間違って読み取られなかったということを検証するよう工程39が繰り返される。サンプル・データが工程41で見出される場合、プロセッサ11は、工程42で、データベース12におけるサンプルが格納区画13において在庫があるか否かを確かめる。サンプルの在庫がない場合、工程43は、サンプルの在庫がないという通知を顧客1に備える。工程43は、後の時点でサンプルと引き換えることができるプリントアウトを顧客1に備えることができ、メールによって顧客1に備えることもできる。しかし、サンプルの在庫があるということをプロセッサ11が判定する場合、プロセッサ11は、工程44で、サンプルを格納区画13から選択し、取り出すようサンプル選択/パッキング機構に指示する。
【００３２】
工程45では、プロセッサ11は、更なるパッケージング情報がマシン判読可能ラベル3によって送信されるかデータベース12に格納されるかを検証する。送信されたサンプル・データにもデータベース12にも更なるパッケージング情報が何ら備えられていない場合、工程47で、選択/パッケージング機構14はサンプルをパッケージングする。プロセッサ11が工程45で更なるパッケージング情報を検出する場合、プロセッサ11は、工程46で検出された命令を行うよう選択/パッケージング機構14に指示する。こうした命令は、例えば、サンプルとともに更なる広告マテリアルを加えること、又は、ユーザによって特に選択されていないがデータベース12において推奨される更なるサンプルを加えることを備え得る。プロセッサ11が工程46を行った後、選択/パッケージング機構14は、工程45及び46の要求によるサンプル及び何れかの更なるマテリアルをパッケージングし、分配装置15は、工程48で、サンプル・パッケージ10を顧客1に配布する。
【００３３】
図4は、サンプルを配布する手順を備える、事業を行う方法の流れ図である。この実施例では、販売環境の所有者は、工程51で、更なるパッケージング情報を（すなわち、図3の工程47で）備えるようプロセッサ11又は、1つ若しくは複数のマシン判読可能ラベル3をプログラムすることができる。工程52では、顧客1は、図3の工程30乃至45を行う。工程53では、サンプル7を配布する装置は少なくとも１つのサンプルをパッケージングする。工程54では、サンプル7を配布する装置は、商品又はサービスの販売に影響を及ぼすことになる少なくとも１つの更なる情報を備える。例えば、更なる情報は広告である。広告又はサンプルには、マシン判読可能ラベルが組み入れられる。所有者は、（すなわち、顧客1がサンプルを要求した）商品、例えば香水に対する値引きに関する情報を備えるマシン判読可能ラベルをプログラムする。情報は、商品に関係するか、その商品又はサービスの販売に影響を及ぼし得る商品情報、クーポンや何れかの他の情報を備え得る。
【００３４】
顧客1は広告情報を受け取ると、工程55で、PDA上や携帯電話機上などの局所メモリ上にそれを格納する。あるいは、顧客1は、販売環境において呈示されると、適切な商品又はサービスの販売に影響を及ぼすよう受け入れられることになる英数字コードの形式での情報を単に受け取ることができる。
【００３５】
顧客1は更に、販売環境においてその情報を後の時点で呈示する。このことは、何れかの公知の、情報を伝送する手段によって、例えば、赤外線信号伝送によってか、英数字コードの復唱によってか、売主にマシン判読可能ラベルを呈示することによって行うことができる。工程56では、販売環境は、情報を受け入れ、工程57で、情報を用いて、商品又はサービスの販売に影響を及ぼす。このようにして、顧客1は、例えば、物理的に販売施設内又はサービス施設内にいる間にサンプルを受け取ることができ、所有者がサンプルとともに提供した値引き又はオファーが利用できる。
【００３６】
前述の説明及び例は、例示的なものであり、本特許請求の範囲記載の範囲を限定することを意図するものでない。
【図面の簡単な説明】
【００３７】
【図１Ａ】サンプルを分配するシステムの図である。
【図１Ｂ】サンプルを分配するシステムの図である。
【図１Ｃ】サンプルを分配するシステムの図である。
【図１Ｄ】サンプルを分配するシステムの図である。
【図２】サンプルを分配する装置の図である。
【図３】サンプルを分配する方法の流れ図である。
【図４】サンプルを分配する手順を備える、事業を行う方法の流れ図である。
【図１Ａ】
2007513400.tif 000003
【図１Ｂ】
2007513400.tif 000004
【図１Ｃ】
2007513400.tif 000005
【図１Ｄ】
2007513400.tif 000006
【図２】
2007513400.tif 000007
【図３】
2007513400.tif 000008
【図４】
2007513400.tif 000009
【国際調査報告】
2007513400.tif 000010
2007513400.tif 000011
2007513400.tif 000012